(57)【特許請求の範囲】
【請求項１】
相互に対向する前面及び裏面と当該前面及び裏面の縁に連なる側面とを有し、前記前面に開放可能な開封部が設けられた箱体と、蒸気抜き部が形成され、該蒸気抜き部が前記開封部に対向するように前記箱体に収められた包装袋とを有し、電子レンジによる加熱時における前記包装袋の内圧上昇に伴う膨張によって前記箱体に形成された開封部が開放される電子レンジ用包装体であって、
前記箱体の側面の前記開封部を挟んで対向する２つの部分の少なくとも一方に線状に切り込まれた切込み部が形成され、
前記切込み部は、前記前面及び裏面それぞれの縁に平行に延びるように形成された電子レンジ用包装体。
【請求項２】
前記切込み部は、前記側面の前記前面側の縁と前記裏面側の縁との間の略中央に形成されている請求項１記載の電子レンジ用包装体。
【請求項３】
前記箱体は、前記前面及び前記裏面が矩形形状であるとともに、相互に対向する第１側面及び第２側面、及び相互に対向する第３側面及び第４側面の４つの側面を有する扁平直方体形状であり、
前記開封部は、非開封部との境界から前記第１側面の側に開放する構造であり、
前記切込み部は、前記第３側面及び第４側面の前記開封部を挟んで対向する部分のそれぞれに形成された請求項１または２に記載の電子レンジ用包装体。
【請求項４】
前記開封部の非開封部との境界は、前記前面から前記第３側面及び第４側面それぞれに続き、当該第３側面及び第４側面のそれぞれと前記第１側面及び前記裏面とが交わる角部に至るように延び、
前記切込み部は、前記第３側面及び前記第４側面それぞれの、前記境界近傍であって、当該境界の前記第１側面と逆側の部分に形成された請求項３記載の電子レンジ用包装体。
【請求項５】
前記切込み部は、直線状に連なる複数の切込み線にて形成される請求項１乃至４のいずれかに記載の電子レンジ用包装体。
【発明の詳細な説明】
【技術分野】
【０００１】
本発明は、蒸気抜き部が形成されて電子レンジでの加熱が可能となるパウチ等の包装袋が箱体に収められた構造となる電子レンジ用包装体に関する。
【背景技術】
【０００２】
従来、蒸気抜き部が設けられて電子レンジでの加熱が可能となる食品用のパウチ（包装袋）が化粧箱（箱体）に納められた構造となる電子レンジ用包装体が提案されている（特許文献１参照）。この電子レンジ用包装体の化粧箱には加熱時のパウチの膨張によって開放可能な開封部が形成され、蒸気抜き部が前記開封部に対向するようにパウチが前記化粧箱に納められている。
【０００３】
このような電子レンジ用包装体によれば、パウチの納められた化粧箱を開封部の形成された面を上方に向けた状態で電子レンジにセットし、該電子レンジによる加熱動作によってパウチが膨張すると、そのパウチの膨張によって化粧箱の開封部が自動的に開放されるようになるので、化粧箱からわざわざパウチを取り出すことなく、電子レンジにて加熱することができる。
【先行技術文献】
【特許文献】
【０００４】
【特許文献１】特開２００９−５１５６２号公報
【発明の概要】
【発明が解決しようとする課題】
【０００５】
このような従来の電子レンジ用包装体では、電子レンジ内で加熱される包装袋の膨張力によって箱体の開封部が確実に開放されることが重要である。本発明は、このような事情に鑑みてなされたもので、包装袋の膨張によってより確実に箱体を開封することのできる電子レンジ用包装体を提供するものである。
【課題を解決するための手段】
【０００６】
本発明に係る電子レンジ用包装体は、相互に対向する前面及び裏面と当該前面及び裏面の縁に連なる側面とを有し、前記前面に開放可能な開封部が設けられた箱体と、蒸気抜き部が形成され、該蒸気抜き部が前記開封部に対向するように前記箱体に収められた包装袋とを有し、電子レンジによる加熱時における前記包装袋の内圧上昇に伴う膨張によって前記箱体に形成された開封部が開放される電子レンジ用包装体であって、前記箱体の側面の前記開封部を挟んで対向する２つの部分の少なくとも一方に線状に切り込まれた切込み部が形成され、前記切込み部は、前記前面及び裏面それぞれの縁に平行に延びるように形成された構成となる。
【０００７】
このような構成により、電子レンジ用包装体を電子レンジによって加熱すると、包装袋が膨張して箱体の前面に設けられた開封部を押し上げることにより、該開封部が徐々に盛り上がり、それにつれて箱体の前面の開封部以外の部分や側面が変形していく。側面の前記開封部を挟んで対向する２つの部分の少なくとも一方は、切込み部の影響を受けて変形し易くなっており、それによって、側面を介して裏面にかかる力が緩和されて当該裏面の過度の変形が防止されるとともに、前面側の開封部近傍が比較的大きく変形して、開封部がよりスムーズに開放し得るようになる。
【０００９】
そして、前面に形成された開封部が盛り上がる際に、側面の前記開封部を挟んで対向する２つの部分が同じように切込み部が広がる影響をうけて変形するようになる。前記切込み部は、前記側面の前記前面側の縁と前記裏面側の縁との間の略中央に形成することができる。
【００１０】
更に、本発明に係る電子レンジ用包装体において、前記箱体は、前記前面及び前記裏面が矩形形状であるとともに、相互に対向する第１側面及び第２側面、及び相互に対向する第３側面及び第４側面の４つの側面を有する扁平直方体形状であり、前記開封部は、非開封部との境界から前記第１側面の側に開放する構造であり、前記切込み部は、前記第３側面及び第４側面の前記開封部を挟んで対向する部分のそれぞれに形成された構成とすることができる。
【００１１】
このような構成により、第３側面及び第４側面の前記開封部を挟んで対向する２つの部分が同じように切込み部の影響を受けて変形し易くなっており、前面に形成された開封部が盛り上がる際に、開封部がそれを挟む両部分の同じような変形の影響を比較的大きく受けることにより、前面側の開封部近傍が比較的大きく変形して、開封部がよりスムーズに開放し得るともに、前記開封部の偏った開放を防止し得るようになる。
【００１２】
また、本発明に係る電子レンジ用包装体において、前記開封部の非開封部との境界は、前記前面から前記第３側面及び第４側面それぞれに続き、当該第３側面及び第４側面のそれぞれと前記第１側面及び前記裏面とが交わる角部に至るように延び、前記切込み部は、前記第３側面及び前記第４側面それぞれの、前記境界線近傍であって、当該境界線の前記第１側面と逆側の部分に形成された構成とすることができる。
【００１３】
このような構成により、開封部が非開封部との境界線から第１側面に向けて開放される際に、境界線の表面から第３側面に続いて形成される部分及び表面から第４側面に続いて形成される部分からも開放されていくので、箱体がより大きく開放され、加熱によって膨張した包装袋が容易に露出できるようになる。また、前記境界線の表面から第３側面に続いて形成される部分及び表面から第４側面に続いて形成される部分からの開放に対しても、切込み部が同じように影響し得るようになる。
【００１４】
更に、本発明に係る電子レンジ用包装体において、前記切込み部は、直線状に連なる複数の切込み線にて形成される構成とすることができる。
【００１５】
このような構成により、前面に形成された開封部が盛り上がる際に、側面の前記開封部を挟んで対向する２つの部分が、直線状に連なる複数の切込み線による同じような影響を受けて変形するようになる。
【発明の効果】
【００１６】
本発明に係る電子レンジ用包装体によれば、側面の前記開封部を挟んで対向する２つの部分の少なくとも一方が切込み部の影響を受けて変形し易くなっており、包装袋の膨張によって前面に形成された開封部が盛り上がる際に、側面を介して裏面にかかる力が緩和されて当該裏面の過度の変形が防止されるとともに、前面側の開封部近傍が比較的大きく変形して、開封部がよりスムーズに開放し得るようになるので、包装袋の膨張によってより確実に箱体を開封することのできるようになる。
【図面の簡単な説明】
【００１７】
【図１】本発明の第１の実施の形態に係る電子レンジ用包装体の外観を示す斜視図である。
【図２】図１に示す電子レンジ用包装体に用いられる箱体の展開図である。
【図３】箱体に形成された開封部の詳細な構成を示す部分拡大展開図である。
【図４Ａ】箱体内に納められたパウチ（包装袋）の膨張しつつある状態を示す断面図である。
【図４Ｂ】箱体内に納められたパウチの膨張した状態を示す斜視図である。
【図５】電子レンジにて加熱した際に、箱体前面の開封部が開放されてパウチが露出した状態を示す斜視図である。
【発明を実施するための形態】
【００１８】
以下、本発明の実施の形態について図面を用いて説明する。
【００１９】
本発明の実施の一形態に係る電子レンジ用包装体は、図１及び図２に示すように構成される。なお、図１は電子レンジ用包装体の外観を示す斜視図であり、図２は、電子レンジ用包装体に用いられる箱体の展開図である。
【００２０】
図１において、この電子レンジ用包装体に用いられる箱体（化粧箱）１０は、紙製（例えば、コートボール紙３１０ｇ／ｍ2等）であって、相互に対向する矩形形状の前面１１及び裏面１２と、前面１１及び裏面１２の各縁に連なる上側面１３ａ、横側面１３ｂ、下側面１３ｃ及び横側面１３ｄの４つの側面とから形成されている。そして、図１には表れていないが、箱体１０には、プラスチック製シートにて形成され、食品等の内容物が充填された所謂平袋タイプの電子レンジ用のパウチ２０（包装袋）が収められている（後述する図４Ａ、図５参照）。
【００２１】
箱体１０は、図２に示す展開紙から組み立てられる。この展開紙は、矩形形状（長方形状）の前面１１及び裏面１２、短冊形状の上側面１３ａ、一方の横側面１３ｂ、下側面１３ｃ、他方の横側面１３ｄ、及び糊代（糊付け面）１４ａａ、１４ａｂ、１４ａｃ、１４ｂ、１４ｃａ、１４ｃｂ、１４ｃｃからなっている。この展開紙を折り曲げ接着することで、図１に示すように、相互に対向する前面１１、裏面１２と、相互に対向する上側面１３ａ（第１側面）、下側面１３ｃ（第２側面）及び相互に対向する２つの横側面１３ｂ（第３側面）、１３ｄ（第４側面）の４つの側面とによって扁平直方体形状となる箱体１０が形成される。具体的には、糊代１４ａｂ、１４ａｃを上側面１３ａの裏側に接着し、糊代１４ｃｂ、１４ｃｃを下側面１３ｃの裏側に接着することにより、前面１１の縁に連なる上側面１３ａ、下側面１３ｃ及び２つの横側面１３ｂ、１３ｄが接合される。また、糊代１４ａａ、１４ｃａを上側面１３ａ、下側面１３ｃの裏側に接着することにより、裏面１２が上側面１３ａ及び下側面１３ｃに接合され、更に、横側面１３ｂの長辺縁から突出する糊代１４ｂを裏面１２の裏側に接着することにより、裏面１２が横側面１３ｂに接合される。なお、糊代１４ｂを裏面１２の長辺縁から突出するように形成して、横側面１３ｂの裏面に接着するようにしてもよい。
【００２２】
また、図１とともに図２を参照するに、箱体１０の前面１１から両横側面１３ｂ、１３ｄにかけて、開放可能な開封部１５が形成されている。開封部１５の非開封部との境界１６には切込み線が連なった切込み線列が形成されており、この切込み線列の非切込み部分が連鎖的に切れることによって開封部１５が境界部１６から上側面１３ａの方向に開放する。開封部１５の非開封部との境界１６は、前面１１において上側面１３ａの側に開口する略Ｖ字状となっている。そして、境界１６の一方の端部が、前面１１側から続いて一方の横側面１３ｂに形成されて該横側面１３ｂ、上側面１３ａ及び裏面１２が交わる角部に至り、境界１６の他方の端部が、前面１１側から続いて他方の横側面１３ｄに形成されて当該横側面１３ｄ、上側面１３ａ及び裏面１２が交わる角部に至っている。
【００２３】
図１とともに図３を参照するに、箱体１０の一方の横側面１３ｂの前面１１との縁と裏面１２との縁との間の中央部に、長手方向に延びる２つの切込み線１７ａ、１７ｂが直線状に連なって形成されている。また、箱体１０の他方の横側面１３ｄの前面１１との縁と裏面１２との縁との間の中央部に、長手方向にのびる２つの切込み線１７ｃ、１７ｄが直線状に連なって形成されている。横側面１３ｂに形成された２つの切込み線１７ａ、１７ｂと、横側面１３ｄに形成された２つの切込み線１７ｃ、１７ｄとは、前面１１から両横側面１３ｂ、１３ｄにかけて形成された開封部１５を挟むように、その開封部１５の境界１６の近傍であってその境界１６に対して上側面１３ａと逆側の部分に配置されている。
【００２４】
なお、図３に示すように、開封部１５の非開封部との境界１６に形成された切込み線列において、前面１１から各横側面１３ｂ、１３ｄのそれぞれに続く直前の切込み線Ｓcut1、Ｓcut2が、他の切込み線に比べてその傾斜角度が大きくなるように形成されている。切込み線列をこのように形成することにより、前面１１と各横側面１３ｂ、１３ｄのそれぞれとの境界での折れ目の強度が過度に低下することを防止することができる。また、切込み線列の前面１１から各横側面１３ｂ、１３ｄへの切り裂きがスムーズに進行し得るようになる。
【００２５】
箱体１０に収められた平袋タイプのパウチ２０は、図４Ａ、図４Ｂ及び図５に示すように、縁部に蒸気抜き部２１ａ、２１ｂ、２１ｃが並んで形成されている。各蒸気抜き部２１ａ、２１ｂ、２１ｃは、例えば、特開２００２−２４９１７６号公報に記載されるように、孔（弱化部）の周りがシールされた構造となって、パウチ２０の内圧が限界を超えると、その蒸気抜き部２１ａ、２１ｂ、２１ｃ（孔）から蒸気が噴出するようになっている。なお、蒸気抜き部２１ａ、２１ｂ、２１ｃの構造としては、上述したものに限らず、パウチ２０の縁辺シール部の所定部位を、狭幅とする、内側に突出させる、易剥離性フィルムを挟んでシールするなどして、パウチ１０の内圧が上昇した際に前記所定部位のシールが優先的に剥離するようにしたもの、マイクロ波の照射で発熱する発熱体をフィルム材（シート）に貼り付け、該フィルム材が溶融、もしくはシール強度が低下して蒸気が抜けるようにしたものなど、公知のものを適用することができる。
【００２６】
パウチ２０は、蒸気抜き部２１ａ、２１ｂ、２１ｃが前面に形成された開封部１５に対向するように箱体１０に収められている。また、このパウチ２０は、開封部１５に対応した部位に内圧上昇によって裏面１２側に突出する折返し部２２が形成されている。この折返し部２２は、パウチ２０が膨張した際に突出するようになっており、その詳細な構造は、特開２００６−６２６７２号公報に記載されている。
【００２７】
このように箱体１０に収められたパウチ２０の内容物を電子レンジにて加熱する場合、パウチ２０の収められた箱体１０をそのまま前面１１を上方に向けて電子レンジにセットし、電子レンジを起動させる。電子レンジによってパウチ２０内の内容物が加熱されて水蒸気を発生すると、その水蒸気によってパウチ２０の内圧が上昇し、それに伴ってパウチ２０が図４Ａ及び図４Ｂに示すように膨張する。膨張するパウチ２０によって箱体１０の前面１１が外方に押し上げられ、特に、パウチ２０の折返し部２２が拡張することによって、前面１１の開封部１５が徐々に盛り上がる。そして、開封部１５の盛り上がりとともに開封部１５以外の非開封部や横側面１３ｂ、１３ｄも変形していく。
【００２８】
開封部１５が盛り上がることによって、非開封部との境界１６に形成された切込み線列の部分が切れ、パウチ２０の更なる膨張によって、図５に示すように、前面１１から両横側面１３ｂ、１３ｄにかけての開封部１５がその境界１６から上側面１３ａの方向に開放される。そして、開封部１５が開放してできた開口部１８からパウチ２０の蒸気抜き部２１ａ、２１ｂ、２１ｃの形成された部分が露出する。この状態で、パウチ２０の内圧が限界を超えると、蒸気抜き部２１ａ、２１ｂ、２１ｃから蒸気が噴出し、パウチ２０の内圧が過度に上昇することなく、パウチ２０の内容物が加熱調理される。
【００２９】
前述したパウチ２０の膨張による開封部１５の開放の動作について更に詳細に説明する。
【００３０】
箱体１０の両横側面１３ａ、１３ｄの開封部１５を挟む部分に形成された切込み線１７ａ、１７ｂ、１７ｃ、１７ｄの影響によって、開封部１５がより確実に開放されるようになった。これは、開封部１５が次のようにして開放されるからであると考えられる。
【００３１】
箱体１０の両横側面１３ｂ、１３ｄの開封部１５を挟んで対向する２つの部分が切込み線１７ａ、１７ｂ、１７ｃ、１７ｄの影響を受けて変形し易くなっているので、開封部１５が徐々に盛り上がり、それにつれて箱体１０の前面１１の開封部以外の部分や両横側面１３ｂ、１３ｄが変形していく過程で、横側面１３ｂ、１３ｄを介して裏面１２にかかる力が緩和されて当該裏面１２の過度の変形が防止されるとともに、前面１１側の開封部１５近傍が比較的大きく変形して、開封部１５の非開封部との境界１６に形成された切込み線列がよりスムーズに切り裂かれる。これにより、開封部１５が非境界部との境界１６からより確実に開放し得るようになる。また、両横側面１３ｂ、１３ｄに形成された切込み線１７ａ、１７ｂ、１７ｃ、１７ｄによって、開封部１５がそれを挟む両横側面１３ｂ、１３ｄの部分の同じような変形を比較的大きく受けることにより、開封部１５の偏った開放が防止されるようになる。例えば、一方の横側面１３ｂが裏面１２に接着された糊代１４ｂによって補強された状態であっても、横側面１３ｂと他方の横側面１３ｄとの開封部１５を挟む部分は、切込み線１７ａ、１７ｂ、１７ｃ、１７ｄによって積極的に同じように変形させられるようになるので、開封部１５は、偏ることなく、境界１６から上側面１３ａの方向に確実に開放できるようになる。
【００３２】
上述したように、本発明の実施の形態に係る電子レンジ用包装体によれば、電子レンジによる加熱時のパウチ２０の膨張によって、箱体１０の前面１１から両横側面１３ｂ、１３ｄかけて形成された開封部１５が、盛り上がって非開封部との境界１６からより確実に開放することができるようになる。また、開封部１５が非開封部との境界１６から上側面１３ａに向けて開放される際に、境界線１６の前面１１から一方の横側面１３ｂに続いて形成される部分及び前面１１から他方の横側面１３ｄに続いて形成される部分からも開放されていくので、箱体１０がより大きく開放され、加熱によって膨張したパウチ２０が容易に露出できるようになる。
【００３３】
なお、前述した実施の形態においては、両横側面１３ｂ、１３ｄの双方に２つずつ切込み線１７ａ、１７ｂ、１７ｃ、１７ｄが形成されたが、双方に１つずつの切込み線であっても、横側面１３ｂ、１３ｄのいずれか一方に切込み線を形成するものであってもよい。また、各横側面１３ｂ、１３ｄに形成される切込み線は、前面１１及び裏面１２に平行な直線に限定されず、波形や傾斜状であってもよい。更に、前述した実施の形態では、各切込み線は、上側面１３ａ側から下側面１３ｃ側に向けて開封部１５の頂部までの範囲に収まるように形成されているが、開封部１５の頂部を越えた位置まで延びるものであってもよい。
【００３４】
箱体１０における開封部１５の前面１１の部分での形状は、山形（略Ｖ字状）であったが、逆三角形や台形等他の形状とすることもできる。また、箱体１０の前面１１から両横側面１３ｂ、１３ｄにかけての境界線１６に切込み線列を形成することにより、開放可能となる開封部１５に代えて、２００９−５１５６２号公報に記載されるように、箱体１０の前面１１に形成される開口を覆う蓋体を開封部として設けることも可能である。この場合、蓋体の縁が非開封部との境界となる。更に、特開２００９−０５１５６２に記載されるものと同様に、分岐部に蒸気抜き部を設けたパウチも適用することができる。
【産業上の利用可能性】
【００３５】
以上、説明したように、本発明に係る電子レンジ用包装体は、包装袋の膨張によってより確実に箱体を開封することができるという効果を有し、蒸気抜き部が形成されて電子レンジでの加熱が可能となるパウチ等の包装袋が箱体に収められた構造となる電子レンジ用包装体として有用である。
【符号の説明】
【００３６】
１０  箱体
１１  前面
１２  裏面
１３ａ  上側面（第１側面）
１３ｂ  横側面（第３側面）
１３ｃ  下側面（第２側面）
１３ｄ  横側面（第４側面）
１５  開封部
１６  境界
１７ａ、１７ｂ、１７ｃ、１７ｄ  切込み線（切込み部）
１８  開口部
１４ａａ、１４ａｂ、１４ａｃ  糊代
１４ｂ  糊代
１４ｃａ、１４ｃｂ、１４ｃｃ  糊代
２０  パウチ（包装袋）
２１ａ、２１ｂ、２１ｃ  蒸気抜き部
２２  折返し部
【図１】
0005494948.tif 000002
【図２】
0005494948.tif 000003
【図３】
0005494948.tif 000004
【図４Ａ】
0005494948.tif 000005
【図４Ｂ】
0005494948.tif 000006
【図５】
0005494948.tif 000007